(57)【要約】      （修正有）【課題】おむつカバーや紙製の使い捨ておむつにおいて、脚部周りや胴周りを介して排泄物が外部に漏れることを防ぐおむつカバー等用の排泄物漏れ防止リングを提供する。【解決手段】使用者の脚の付け根周りに装着可能な布又は紙の環状体１からなり、該環状体は、軸方向に幅、円周方向に長さを有する素材で作成され、幅方向の一端部において、長さ方向に弾性的に伸縮自在かつ縮小付勢にされてギャザーが形成されたギャザー部３と、幅方向の他端部において、長さ方向に沿ってフリルが形成されたフリル部５とを有する。環状体１は長さ方向の中間部において開閉自在に構成されている。２つの環状体を弾力性のある芯を柔軟な素材で包んでなる長尺の紐状体である背あてパッドで結合する。【選択図】図１
0003166002.tif 000002
【実用新案登録請求の範囲】
【請求項１】
使用者の脚の付け根周りに装着可能な布又は紙の環状体からなり、該環状体は、軸方向に幅、円周方向に長さを有する素材で作成され、幅方向の一端部において、長さ方向に弾性的に伸縮自在かつ縮小方向に付勢されてギャザーが形成されたギャザー部と、幅方向の他端部において、長さ方向に沿ってフリルが形成されたフリル部とを有する排泄物漏れ防止リング。
【請求項２】
前記環状体は長さ方向の中間部において円環を開閉自在に構成した排泄物漏れ防止リング。
【請求項３】
２つの前記環状体と、各端部が前記２つの環状体の各一に結合された、弾力性のある芯を柔軟な素材で包んでなる長尺の紐状体と、から構成されている排泄物漏れ防止リング。
【考案の詳細な説明】
【技術分野】
【０００１】
本考案は、主としておむつカバーの脚部開口や胴部開口背面部からの排泄物の漏れを防止するための品に関する。
【背景技術】
【０００２】
おむつカバーや紙製の使い捨ておむつは、内面の股間部を中心に載置した吸収体で受けた排泄物が被装着者の脚部周りや胴周りを介しておむつの外部へ漏れるのを防ぐために種々の工夫が施されている。加工が容易な紙製の使い捨ておむつにおいては、例えば、特開２００１−２５８９３０号公報及び特開２００２−１５９５２８号公報等に示されるように、略長方形の吸収体の両側縁、即ちおむつの股下部両側縁に沿って立体ギャザーを形成することにより排泄物の漏れを防止しようとしている。また、紙製品ではない一般的なおむつカバーにおいても、例えば、実用新案登録第３０６１３２４号公報及び実用新案登録第３０９１５３３等公報に示されるように、伸縮性と非透水性を有する素材により、おむつカバーの股座部の両側縁にフリル部を形成すると共に、該フリル部の先端部にゴム紐を通してギャザーを形成するなどして排泄物の漏れの防止を試みている。
【先行技術文献】
【特許文献】
【０００３】
【特許文献１】特開２００１−２５８９３０号公報
【特許文献２】特開２００２−１５９５２８号公報
【特許文献３】実用新案登録第３０６１３２４号公報
【特許文献４】実用新案登録第３０９１５３３等公報
【考案の概要】
【考案が解決しようとする課題】
【０００４】
このように、おむつカバーや紙製使い捨ておむつ（以下単に「おむつカバー等」と記す）には排泄物の漏れを防止するための種々工夫が施されている。しかし、実際には、装着者によっては脚の付け根部分が極端に細く、おむつカバー等の脚部開口との間に大きな隙間が存在したり、装着者が様々な姿勢をとる間におむつカバー等が本来の位置からずれるなどして、おむつカバー等の脚部開口からの排泄物の漏れを完全には防止できていないのが実情である。  また、人体の臀部には左右の脚に対応する左右の盛り上がり部の間に溝部が存在し、排泄物はこの溝部を介して背部に回り込み易く、おむつカバー等の胴部開口からの排泄物の漏れも完全には防止できていない。
【０００５】
特に、介護の現場においては、こうした問題は、汚れた下着の交換、寝具の交換等の作業や大量の洗濯物の取り扱いなどにおいて、介護者への大きな負担となっている。
【０００６】
本考案は、おむつカバー等が種々の工夫を施しているにも拘わらず排泄物の漏れを完全に防止することができていない実情に鑑み、おむつカバー等と共に使用することにより、排泄物の漏れをより確実に抑制するために考案された品を提供することを目的とするものである。
【課題を解決するための手段】
【０００７】
前記目的を達成するため、請求項１に係る排泄物漏れ防止リングは、使用者の脚の付け根周りに装着可能な布又は紙の環状体からなり、該環状体は、軸方向に幅、円周方向に長さを有する素材で作成され、幅方向の一端部において、長さ方向に弾性的に伸縮自在かつ縮小方向に付勢されてギャザーが形成されたギャザー部と、幅方向の他端部において、長さ方向に沿ってフリルが形成されたフリル部とを有する。
【０００８】
請求項２に係る排泄物漏れ防止リングは、前記環状体の長さ方向の中間部において開閉自在に構成されている。
【０００９】
請求項３に係る排泄物漏れ防止リングは、２つの前記環状体と、各端部が前記２つの環状体の各一に結合された、弾力性のある芯を柔軟な素材で包んでなる長尺の紐状体と、から構成されている。
【考案の効果】
【００１０】
請求項１の本考案に係る排泄物漏れ防止リングは、以上のように構成されており、おむつカバー等とは別に使用者の肌に直接装着するものである。おむつカバー等と共に使用し、ギャザー部を膝部に向け、フレアー部を腹部に向けて、使用者の脚の付け根周りに装着することにより、おむつカバー等の脚部開口に大きな隙間が存在したり、装着者が様々な姿勢をとる間におむつカバー等が本来の位置からずれたりしても、常に使用者の脚の付け根周りに密着していることにより、おむつカバー等の脚部開口からの排泄物の漏れを効果的に防止することができる
【００１１】
また、本考案に係る排泄物漏れ防止リングは、少ない材料で比較的簡単に製造できるため安価に提供される。提供された排泄物漏れ防止リングは、紙製はもちろん布製のものでも安価であるため、汚れがひどくなったら捨てるのも容易である。布製のものは特に洗って繰り返し使用することができ、より経済的である。
【００１２】
請求項２の本考案に係る排泄物漏れ防止リングは、環状体が長さ方向の中間部において開閉自在に構成されていることにより、使用時に、ズボン等を脱着する必要なく、直接脚の付け根に着脱でき、ズボン等を脱着する手間を省くことができる。
【００１３】
請求項３の本考案に係る排泄物漏れ防止リングは、２つの環状体を弾力性のある芯を柔軟な素材で包んだ紐状体で連結することにより、水便や尿が背に廻るのを紐状体で防ぐことが可能となる。したがって、おむつカバー等の脚部開口だけでなく、胴部開口からの排泄物の漏れをも効果的に防止することができ、使用者は安楽安寧に過ごすことができるようになり、また、介護者にとっては、介護量が減少し、精神的、時間的な余裕をもつことが可能になる。
【図面の簡単な説明】
【００１４】
【図１】本考案に係る排泄物漏れ防止リングの第１実施例の斜視図
【図２】図１の排泄物漏れ防止リングを装着した使用者の模式図
【図３】図２の要部拡大図
【図４】第１実施例の変更例の斜視図
【図５】本考案に係る排泄物漏れ防止リングの第２実施例の斜視図
【図６】図５の排泄物漏れ防止リングを装着した使用者の模式図
【考案を実施するための形態】
【００１５】
以下、本考案に係る排泄物漏れ防止リングの具体的構成を図示の実施例に基づいて説明する。
【実施例１】
【００１６】
図１は、本考案の排泄物漏れ防止リングの第１実施例を示し、排泄物漏れ防止リングは環状体１からなる。環状体１は、軸方向に幅Ｗ、円周方向に長さＬを有する布又は紙の素材で作成され、幅Ｗ方向の図中上端部において、長さＬ方向に弾性的に伸縮自在かつ縮小方向に付勢されてギャザーが形成されたギャザー部３と、幅Ｗ方向の図中下端部において、長さ方向に沿ってフリルが形成されたフリル部５とを有する。
【００１７】
ギャザー部３は、図示例では幅Ｗ方向の上端部に環状体１の全周に亘って設けられた円筒部分にゴム紐のような長尺の伸縮自在な弾性体を通すことにより形成されている。このギャザー部３は、このような方法以外にも、複数本の細いゴム糸が環状体１の全周に亘って織り込まれた長さＬ方向に弾性的に伸縮自在な生地や、ゴム糸等を使用することなく素材自体又は織り方により長さＬ方向に弾性的に伸縮自在な生地などを利用して形成してもよい。
【００１８】
フリル部５は、幅Ｗ方向の一端部が圧縮されてギャザー部３として形成されることにより幅Ｗ方向の他端部に形成されるものである。
【００１９】
素材の布は、綿のニット生地のものが好ましい。織生地でもガーゼなどの軟らかいものであればよい。同様に紙素材の場合も、肌にやさしく柔らかいものがよい。
【００２０】
以上のように構成された排泄物漏れ防止リングの使用について説明すると、吸収パッドをあてた後、おむつカバー等を装着する前に、図２及び図３に示すように、フリル部５を使用者の腹部の方に向け、ギャザー部３を膝部の方に向けて脚の付け根に装着する。このように装着することにより、おむつカバー等の脚部開口から漏れる恐れのある尿や水便などの排泄物の漏れを脚の付け根周りで効果的に抑えることができる。
【００２１】
図４は、第１実施例の変更例を示す。環状体１−１は、長さＬ方向の中間部で再接合可能に分離されている。接合端部１ａ、１ｂには面ファスナー６ａ、６ｂが設けられており、接合端部１ａ、１ｂを接離することにより環状体１−１を開閉することができる。このように構成することで、使用時に、ズボン等を脱着する手間を省くことができ、また、環状体による弾性圧力を脚の付け根の大小に対応して適宜調節することが可能になる。
【００２２】
接合端部１ａ、１ｂの接合手段は面ファスナーに限られない。ホック、ボタン、紐、等、接合端部１ａ、１ｂを開閉自在に接合できる手段であればいずれの手段でもよい。
【実施例２】
【００２３】
図５は、本考案の排泄物漏れ防止リングの第２実施例を示す。この実施例においては、左右一対の環状体１１ａ，１１ｂが長尺状の背あてパッド１７により連結されている。環状体１１ａ，１１ｂの背あてパッド１７との結合部位はフリル部１５ａ、１５ｂである。背あてパッド１７は、ウレタン、綿、等の弾力性のある素材の芯を柔軟な布で包むことにより形成されている。  
【００２４】
第２実施例に係る排泄物漏れ防止リングの使用状態は図６に示すとおりである。この例によれば、水便や尿が臀部の溝を通って背に廻り、おむつ等の胴部開口から外部に漏れるのを背あてパッド１７により効果的に防ぐことができる。
【符号の説明】
【００２５】
１、１−１、１１ａ、１１ｂ：環状体 
１ａ、１ｂ：環状体の接合端部
３：ギャザー部
５、１５：フリル部
６ａ、６ｂ：面ファスナー
１７：背あてパッド
【図１】
0003166002.tif 000003
【図２】
0003166002.tif 000004
【図３】
0003166002.tif 000005
【図４】
0003166002.tif 000006
【図５】
0003166002.tif 000007
【図６】
0003166002.tif 000008
【手続補正書】
【提出日】平成22年11月17日(2010.11.17)
【手続補正１】
【補正対象書類名】実用新案登録請求の範囲
【補正対象項目名】全文
【補正方法】変更
【補正の内容】
【実用新案登録請求の範囲】
【請求項１】
使用者の脚の付け根周りに装着可能な布又は紙の環状体からなり、該環状体は、軸方向に幅、円周方向に長さを有する素材で作成され、幅方向の一端部において、長さ方向に弾性的に伸縮自在かつ縮小方向に付勢されてギャザーが形成されたギャザー部と、幅方向の他端部において、長さ方向に沿ってフリルが形成されたフリル部とを有することを特徴とする排泄物漏れ防止リング。
【請求項２】
前記環状体は長さ方向の中間部において円環を開閉自在に構成したことを特徴とする請求項１に記載の排泄物漏れ防止リング。
【請求項３】
２つの前記環状体と、各端部が前記２つの環状体の各一に結合された、弾力性のある芯を柔軟な素材で包んでなる長尺の紐状体と、から構成されていることを特徴とする請求項１又は２に記載の排泄物漏れ防止リング。